(57)【要約】【課題】スピーカーユニットのフレームで発生する振動を効率的に吸収することにより、忠実な音響再生を実現するスピーカーユニットの保持構造、およびそれを用いた音響装置を提供する。【解決手段】スピーカーユニット１の構成部材であるフレーム１ｃのフランジ１ｄに、スピーカーユニット保持体３の一端を押し付けて取り付けるスピーカーユニット用取付具４が設けられている。筐体２Ａの取付板２ａに、スピーカーユニット保持体３の一端を押し付けて取り付ける筐体用取付具７が設けられている。スピーカーユニット保持体３にフランジ１ｄや取付板２ａが接触しない振動減衰部３ａが設けられている。筐体２Ａに設けられた支持体２０ｂによりスピーカーユニット１は振動板面が上向きに支持されている。【選択図】図１８
2019083495.tif 000002
【特許請求の範囲】
【請求項１】
スピーカーユニットと、前記スピーカーユニットを装着するための開口部を備える筐体と、前記スピーカーユニットを前記筐体に保持するスピーカーユニット保持体を備え、
前記スピーカーユニットは、音波を発生するための振動板と、前記振動板を駆動するための磁気回路と、前記振動板と前記磁気回路が取り付けられたフレームを備え、
前記スピーカーユニット保持体は、振動吸収体であり、
前記スピーカーユニット保持体は、前記フレームが取り付けられる部位であるスピーカーユニット取付部と、前記筐体の開口部もしくは開口部周辺が取り付けられる部位である筐体取付部を有し、
前記スピーカーユニット取付部と前記筐体取付部は、前記スピーカーユニット保持体の異なる部位であること、
を特徴とするスピーカーユニットの保持構造。
【請求項２】
前記スピーカーユニット保持体は、可撓体もしくは弾性体である、請求項１に記載のスピーカーユニットの保持構造。
【請求項３】
前記スピーカーユニット保持体は、振動吸収材と振動吸収材用容器で構成され、
前記振動吸収材用容器は、前記振動吸収材を前記振動吸収材用容器で囲まれた範囲に留めるための容器であり、
前記スピーカーユニット保持体は、前記振動吸収材が前記振動吸収材用容器に包含された構造体である、請求項１に記載のスピーカーユニットの保持構造。
【請求項４】
前記スピーカーユニット保持体は、前記スピーカーユニット取付部と前記筐体取付部の間に前記スピーカーユニットと前記筐体が接触しない振動減衰部が設けられている、請求項１から３のいずれか１項に記載のスピーカーユニットの保持構造。
【請求項５】
前記フレームに前記スピーカーユニット保持体を押しつけて取り付けるスピーカーユニット用取付具をさらに備える、請求項１から４のいずれか１項に記載のスピーカーユニットの保持構造。
【請求項６】
前記筐体に前記スピーカーユニット保持体を押しつけて取り付ける筐体用取付具をさらに備える、請求項１から５のいずれか１項に記載のスピーカーユニットの保持構造。
【請求項７】
前記スピーカーユニット用取付具は、前記スピーカーユニットの前面側で前記スピーカーユニットを防護するスピーカー防護具をさらに備える、請求項５に記載のスピーカーユニットの保持構造。
【請求項８】
前記筐体用取付具は、前記スピーカーユニットの前面側で前記スピーカーユニットを防護するスピーカー防護具をさらに備える、請求項６に記載のスピーカーユニットの保持構造。
【請求項９】
前記スピーカーユニット保持体は、分岐部を有する対スピーカーユニット挟み込み部を備え、前記対スピーカーユニット挟み込み部で前記フレームの端部を挟み込むことで前記スピーカーユニットに取り付けられる、請求項１から８のいずれか１項に記載のスピーカーユニットの保持構造。
【請求項１０】
前記スピーカーユニット保持体は、分岐部を有する対筐体挟み込み部を備え、前記対筐体挟み込み部で前記筐体の開口部を挟み込むことで前記筐体に取り付けられる、請求項１から９のいずれか１項に記載のスピーカーユニットの保持構造。
【請求項１１】
前記フレームは、前記フレームの周囲に、振動板の前面側、もしくは振動板の背面側へ突出するスピーカーユニット突出部を備え、
前記スピーカーユニット保持体は、突出構造を有する対スピーカーユニット用突出部を有し、前記対スピーカーユニット用突出部で前記スピーカーユニット突出部を嵌め込み取り付けられる、請求項１から１０のいずれか１項に記載のスピーカーユニットの保持構造。
【請求項１２】
前記筐体は、前記筐体の開口部もしくは開口部周辺に、前記筐体の内側もしくは外側へ突出する筐体突出部を備え、
前記スピーカーユニット保持体は、突出構造を有する対筐体突出部を有し、前記対筐体突出部で前記筐体突出部を嵌め込み取り付けられる、請求項１から１１のいずれか１項に記載のスピーカーユニットの保持構造。
【請求項１３】
前記スピーカーユニットは、振動板面が上向きもしくは下向きに保持される、請求項１から１２のいずれか１項に記載のスピーカーユニットの保持構造。
【請求項１４】
前記スピーカーユニットは、前記筐体に設けられる支持手段により支持される、請求項１から１３のいずれか１項に記載のスピーカーユニットの保持構造。
【請求項１５】
前記支持手段に振動伝達抑制材が設けられている、請求項１４に記載のスピーカーユニットの保持構造。
【請求項１６】
前記支持手段は、前記スピーカーユニットを吊り上げる吊り上げ体である、請求項１４もしくは１５に記載のスピーカーユニットの保持構造。
【請求項１７】
上端で前記吊り上げ体に設けられ下端で前記スピーカーユニットに結合する吊り上げ支持体がさらに設けられている、請求項１６に記載のスピーカーユニットの保持構造。
【請求項１８】
前記吊り上げ支持体は、上端に前記吊り上げ支持体を吊り下げるための引掛部がさらに設けられ、
前記振動伝達抑制材は、前記吊り上げ体の上面に設けられ、
前記吊り上げ支持体は、前記引掛部が前記振動伝達抑制材の上面に引っ掛けられることにより、吊り下げられる、請求項１７に記載のスピーカーユニットの保持構造。
【請求項１９】
前記支持手段は、前記スピーカーユニットを支持する支持体である、請求項１４もしくは１５に記載のスピーカーユニットの保持構造。
【請求項２０】
前記支持体は、上端に前記支持体を吊り下げるための引掛部がさらに設けられ、
前記筐体は、前記支持体を貫通させるための貫通穴である筐体貫通穴がさらに設けられ、
前記振動伝達抑制材は、前記支持体を貫通させるための貫通穴である振動伝達抑制材貫通穴がさらに設けられ、
前記振動伝達抑制材は、前記筐体の上面に設けられ、
前記支持体は、前記引掛部が前記振動伝達抑制材の上面に引っ掛けられ、前記振動伝達抑制材貫通穴と前記筐体貫通穴を貫通して、下端で前記スピーカーユニットに結合することにより、前記スピーカーユニットを支持する、請求項１９に記載のスピーカーユニットの保持構造。
【請求項２１】
前記筐体の外部に存在する外部構造物から前記スピーカーユニットを支持するための外部吊り上げ体と、外部吊り上げ支持体と、振動伝達抑制材がさらに設けられ、
前記筐体は、前記筐体の外部から前記スピーカーユニットを支持するための貫通穴が設けられ、
前記外部吊り上げ体は、一方で前記外部構造物に結合し、他方で前記外部吊り上げ支持体を支持し、
前記外部吊り上げ支持体は、前記外部吊り上げ体に吊り下がるための引掛部が上端に設けられ、前記筐体に設けられた前記貫通穴を貫通し、下端で前記スピーカーユニットに結合し、
前記外部吊り上げ体の上面と前記引掛部の間に前記振動伝達抑制材が設けられる、請求項１から１３のいずれか１項に記載のスピーカーユニットの保持構造。
【請求項２２】
前記筐体の外部に存在する外部構造物から前記スピーカーユニットを支持するために外部支持体がさらに設けられ、
前記筐体は、外部支持体を貫通させるための貫通穴が設けられ、
前記外部支持体は、一方で前記外部構造物に結合し、前記筐体に設けられた前記貫通穴を経由し、他方で前記スピーカーユニットに結合する、請求項１から１３のいずれか１項に記載のスピーカーユニットの保持構造。
【請求項２３】
請求項１から２２のいずれか１項に記載のスピーカーユニットの保持構造を備える音響装置。
【発明の詳細な説明】
【技術分野】
【０００１】
本発明は、高音質な音響再生を可能にするスピーカーユニットの保持構造に関する。
【背景技術】
【０００２】
一般的なスピーカーユニットでは、フレームに振動板と磁気回路が結合され、振動板に結合したコイルは、磁気回路に隣接して配置される。コイルに流れる音声電流に応じて生じる、コイルと磁気回路の磁力相互作用により振動板が往復運動し音波が発生する。
【０００３】
振動板はフレームに結合されるため、フレームは、振動板からの振動が最も伝わる部材である。フレームの振動は種々の部材に伝播し、忠実な音響再生を阻害する。例えば、フレームの振動は、フレームが接する筐体に伝わる。また、筐体の振動はフレームや振動板へと再び伝播する。各部材に伝わった振動は、位相ずれをともなう変調音を発生し、正確な音響再生を妨げてきた。
【０００４】
この問題を解決するために、フレームと筐体の間に振動吸収材を挿入する対策が行われてきた。
【先行技術文献】
【特許文献】
【０００５】
【特許文献１】特開２００２−２４７６７５号公報
【発明の概要】
【発明が解決しようとする課題】
【０００６】
しかし、特許文献１に記載のように、フレームと筐体の間に振動吸収材を挿入、つまり振動吸収材の同一部位でフレームと筐体に接触すると、設けられる振動吸収材の量が限定されること、振動吸収材がフレームと筐体に挟まれて圧縮や圧迫されていること、そして、振動伝達経路が直線的であることなどの理由により、振動吸収材の効果が十分に発揮されなかった。そのため、フレームによる不要振動の発生やその伝播の問題を解決できなかった。
【０００７】
本発明では、フレームで発生する不要振動とその伝達問題を解決し、正確な音響再生が可能なスピーカー保持構造および音響装置を提供する。
【課題を解決するための手段】
【０００８】
請求項１の発明は、スピーカーユニットと、前記スピーカーユニットを装着するための開口部を備える筐体と、前記スピーカーユニットを前記筐体に保持するスピーカーユニット保持体を備え、前記スピーカーユニットは、音波を発生するための振動板と、前記振動板を駆動するための磁気回路と、前記振動板と前記磁気回路が取り付けられたフレームを備え、前記スピーカーユニット保持体は、振動吸収体であり、前記スピーカーユニット保持体は、前記フレームが取り付けられる部位であるスピーカーユニット取付部と、前記筐体の開口部もしくは開口部周辺が取り付けられる部位である筐体取付部を有し、前記スピーカーユニット取付部と前記筐体取付部は、前記スピーカーユニット保持体の異なる部位であること、を特徴とする。
【０００９】
ここで、「スピーカーユニット保持体の異なる部位」とは、スピーカーユニット保持体が、スピーカーユニットと筐体の間に挟まれないように、スピーカーユニット保持体のそれぞれ別の部位で、スピーカーユニットと筐体に取付けられているという意味である。
【００１０】
このようにすれば、振動吸収体であるスピーカーユニット保持体をスピーカーユニットと筐体の両方に設けることができる。また、スピーカーユニット保持体の同一部位がスピーカーユニットと筐体に挟まれないため、スピーカーユニット保持体が圧迫されない。さらに、スピーカーユニット保持体における振動伝達経路が非直線的に延長される。したがって、請求項１の発明により、スピーカーユニット保持体の振動吸収効果が十分に発揮され、フレームや筐体の不要振動が効果的に吸収されるとともに、フレームと筐体間の不要振動の伝達問題が解決され、忠実な音響再生が実現される。
【００１１】
請求項２に記載のように、前記スピーカーユニット保持体は、可撓体もしくは弾性体である、ようにすることもできる。
このようにすれば、スピーカーユニット保持体によるフレームや筐体の振動吸収効果はさらに高まる。
【００１２】
請求項３に記載のように、前記スピーカーユニット保持体は、振動吸収材と振動吸収材用容器で構成され、前記振動吸収材用容器は、前記振動吸収材を前記振動吸収材用容器で囲まれた範囲に留めるための容器であり、前記スピーカーユニット保持体は、前記振動吸収材が前記振動吸収材用容器に包含された構造体である、ようにすることもできる。
【００１３】
このようにすれば、不定形な振動吸収材、もしくは振動吸収材による不定形な集合体をスピーカーユニット保持体として用いることができる。
【００１４】
請求項４に記載のように、前記スピーカーユニット保持体は、前記スピーカーユニット取付部と前記筐体取付部の間に前記スピーカーユニットと前記筐体が接触しない振動減衰部が設けられている、ようにすることもできる。
【００１５】
このようにすれば、スピーカーユニット保持体の振動吸収に関わる領域が拡大され、さらに振動減衰部は、フレームや筐体の圧迫を受けないため、フレームや筐体の不要振動が効果的に吸収されるとともに、フレームと筐体間の振動伝達も顕著に抑制される。
【００１６】
請求項５に記載のように、前記フレームに前記スピーカーユニット保持体を押しつけて取り付けるスピーカーユニット用取付具をさらに備える、ようにすることもできる。
【００１７】
このようにすれば、簡便かつ効果的にスピーカーユニットにスピーカーユニット保持体を取り付けることができる。
【００１８】
請求項６に記載のように、前記筐体に前記スピーカーユニット保持体を押しつけて取り付ける筐体用取付具をさらに備える、ようにすることもできる。
【００１９】
このようにすれば、簡便かつ効果的に筐体にスピーカーユニット保持体を取付けることができる。
【００２０】
請求項７に記載のように、前記スピーカーユニット用取付具は、前記スピーカーユニットの前面側で前記スピーカーユニットを防護するスピーカー防護具をさらに備える、ようにすることもできる。
【００２１】
このようにすれば、スピーカーユニット用取付具を介して、簡便にスピーカー防護具を筐体に設けることができる。
【００２２】
請求項８に記載のように、前記筐体用取付具は、前記スピーカーユニットの前面側で前記スピーカーユニットを防護するスピーカー防護具をさらに備える、ようにすることもできる。
【００２３】
このようにすれば、筐体用取付具を介して、簡便にスピーカー防護具を筐体に設けることができる。
【００２４】
請求項９に記載のように、前記スピーカーユニット保持体は、分岐部を有する対スピーカーユニット挟み込み部を備え、前記対スピーカーユニット挟み込み部で前記フレームの端部を挟み込むことで前記スピーカーユニットに取り付けられる、ようにすることもできる。
【００２５】
このようにすれば、スピーカーユニット用取付具を用いなくても、スピーカーユニットに、スピーカーユニット保持体を、簡便かつ確実に取り付けることができる。
【００２６】
請求項１０に記載のように、前記スピーカーユニット保持体は、分岐部を有する対筐体挟み込み部を備え、前記対筐体挟み込み部で前記筐体の開口部を挟み込むことで前記筐体に取り付けられる、ようにすることもできる。
【００２７】
このようにすれば、筐体用取付具を用いなくても、筐体にスピーカーユニット保持体を簡便かつ確実に取り付けることができる。
【００２８】
請求項１１に記載のように、前記フレームは、前記フレームの周囲に、振動板の前面側、もしくは振動板の背面側へ突出するスピーカーユニット突出部を備え、前記スピーカーユニット保持体は、突出構造を有する対スピーカーユニット用突出部を有し、前記対スピーカーユニット用突出部で前記スピーカーユニット突出部を嵌め込み取り付けられる、ようにすることもできる。
【００２９】
このようにすれば、突出構造の嵌め込みによりスピーカーユニットにスピーカーユニット保持体を確実に取り付けることができる。
【００３０】
請求項１２に記載のように、前記筐体は、前記筐体の開口部もしくは開口部周辺に、前記筐体の内側もしくは外側へ突出する筐体突出部を備え、前記スピーカーユニット保持体は、突出構造を有する対筐体突出部を有し、前記対筐体突出部で前記筐体突出部を嵌め込み取り付けられる、ようにすることもできる。
【００３１】
このようにすれば、突出構造の嵌め込みにより筐体にスピーカーユニット保持体を確実に取り付けることができる。
【００３２】
請求項１３に記載のように、前記スピーカーユニットは、振動板面が上向きもしくは下向きに保持される、ようにすることもできる。
【００３３】
このように、スピーカーユニットを上向き（振動板面が上向き）、もしくは下向き（振動板面が下向き）に支持すれば、スピーカーユニットの揺動が抑制されるため、スピーカーユニット保持体によるスピーカーユニットの支持力を弱め、スピーカーユニット保持体の振動吸収効果が高めることができる。また、スピーカーユニットの揺動が抑制されることにより、音の基準点が明確化される。それらの理由により、忠実な音響再生が可能になる。
【００３４】
請求項１４に記載のように、前記スピーカーユニットは、前記筐体に設けられる支持手段により支持される、ようにすることもできる。
【００３５】
このように、スピーカーユニットの支持手段を設けることにより、スピーカーユニット保持体によるスピーカーユニット重量の支持が避けられるので、スピーカーユニット保持体の圧縮や引張を避けることができる。したがって、スピーカーユニット保持体の振動吸収効果を最大限に発揮することができる。
【００３６】
請求項１５に記載のように、前記支持手段に振動伝達抑制材が設けられている、ようにすることもできる。
【００３７】
このようにすれば、筐体や支持手段からフレームに振動が伝達することが避けられるし、フレーム由来の振動を振動伝達抑制材で吸収することが可能になる。
【００３８】
請求項１６に記載のように、前記支持手段は、前記スピーカーユニットを吊り上げる吊り上げ体である、ようにすることもできる。
【００３９】
このように筐体に吊り上げ体を設けると、スピーカーユニット保持体でスピーカーユニットの荷重を支ないため、スピーカーユニット保持体の圧縮や引張が回避される。そのため、スピーカーユニット保持体が有する本来の振動吸収効果を発揮することができる。
【００４０】
請求項１７に記載のように、上端で前記吊り上げ体に設けられ下端で前記スピーカーユニットに結合する吊り上げ支持体がさらに設けられている、ようにすることもできる。
【００４１】
このようにすれば、吊り上げ支持体によりスピーカーユニットと吊り上げ体との物理的な距離が確保されるため、吊り上げ体の振動がフレームに伝達されることを抑制できる。さらに、吊り上げ支持体に直接スピーカーユニットを結合する場合に比べて、スピーカーユニットを低重心で保持できるので、吊り上げ体やスピーカーユニットの不要振動の発生を抑えることができる。そのため、忠実な音響再生が可能になる。
【００４２】
請求項１８に記載のように、前記吊り上げ支持体は、上端に前記吊り上げ支持体を吊り下げるための引掛部がさらに設けられ、前記振動伝達抑制材は、前記吊り上げ体の上面に設けられ、前記吊り上げ支持体は、前記引掛部が前記振動伝達抑制材の上面に引っ掛けられることにより、吊り下げられる、ようにもできる。
【００４３】
このようにすれば、振動伝達抑制材により吊り上げ体と吊り上げ支持体との振動モードが分離できるため、吊り上げ体の振動が、吊り上げ支持体やフレームに伝わることを抑制できる。
【００４４】
請求項１９に記載のように、前記支持手段は、前記スピーカーユニットを支持する支持体である、ようにすることもできる。
【００４５】
このように、筐体に支持体を設けると、スピーカーユニット保持体でスピーカーユニットの荷重を支えないため、スピーカーユニット保持体の圧縮や引張が回避される。そのため、スピーカーユニット保持体が有する本来の振動吸収効果を発揮することができる。
【００４６】
請求項２０に記載のように、前記支持体は、上端に前記支持体を吊り下げるための引掛部がさらに設けられ、前記筐体は、前記支持体を貫通させるための貫通穴である筐体貫通穴がさらに設けられ、前記振動伝達抑制材は、前記支持体を貫通させるための貫通穴である振動伝達抑制材貫通穴がさらに設けられ、前記振動伝達抑制材は、前記筐体の上面に設けられ、前記支持体は、前記引掛部が前記振動伝達抑制材の上面に引っ掛けられ、前記振動伝達抑制材貫通穴と前記筐体貫通穴を貫通して、下端で前記スピーカーユニットに結合することにより、前記スピーカーユニットを支持する、下端で前記スピーカーユニットに結合することにより、前記スピーカーユニットを支持する、ようにすることもできる。
【００４７】
このようにすれば、筐体を利用してスピーカーユニットを吊り上げることができる。そして、スピーカーユニット保持体でスピーカーユニットの荷重を支えないため、スピーカーユニット保持体の圧縮や引張が回避される。そのため、スピーカーユニット保持体が有する本来の振動吸収効果を発揮することができる。さらに、筐体と支持体の間に振動伝達抑制材が設けられているので、筐体からフレームや支持体への振動伝達が抑制される。以上から、忠実な音響再生が可能になる。  
【００４８】
請求項２１に記載のように、前記筐体の外部に存在する外部構造物から前記スピーカーユニットを支持するための外部吊り上げ体と、外部吊り上げ支持体と、振動伝達抑制材がさらに設けられ、前記筐体は、前記筐体の外部から前記スピーカーユニットを支持するための貫通穴が設けられ、前記外部吊り上げ体は、一方で前記外部構造物に結合し、他方で前記外部吊り上げ支持体を支持し、前記外部吊り上げ支持体は、前記外部吊り上げ体に吊り下がるための引掛部が上端に設けられ、前記筐体に設けられた前記貫通穴を貫通し、下端で前記スピーカーユニットに結合し、前記外部吊り上げ体の上面と前記引掛部の間に前記振動伝達抑制材が設けられる、ようにもできる。
【００４９】
このようにすると、筐体の外部に吊り上げ支持体を設けてスピーカーユニットを吊り上げることができる。この発明では、スピーカーユニット保持体でスピーカーユニットの荷重を支ないため、スピーカーユニット保持体の圧縮や引張が回避される。そのため、スピーカーユニット保持体が有する本来の振動吸収効果を発揮することができる。また、筐体の内部でなく外部に、外部吊り上げ体を設けることにより、筐体や筐体内の振動が吊り上げ体を介してフレームに伝わることを回避できる。また、外部吊り上げ体と外部吊り上げ支持体の間に振動伝達抑制材を設けているので、外部吊り上げ体からフレームに振動が伝わることを抑制される。以上から、忠実な音響再生が可能になる。
【００５０】
請求項２２に記載のように、前記筐体の外部に存在する外部構造物から前記スピーカーユニットを支持するために外部支持体がさらに設けられ、前記筐体は、外部支持体を貫通させるための貫通穴が設けられ、前記外部支持体は、一方で前記外部構造物に結合し、前記筐体に設けられた前記貫通穴を経由し、他方で前記スピーカーユニットに結合する、ようにもできる。
【００５１】
このように、筐体の外部から支持する支持体を設けることにより、支持体は筐体の振動を受けなくなり、筐体の振動が支持体を介してフレームに伝播することが回避される。また、フレームの振動を外部支持体へ伝達することにより、フレームの振動を減衰することができる。さらに、外部支持体を設けることにより、スピーカーユニット保持体でスピーカーユニットを支持する必要がなくなる。そのため、スピーカーユニット保持体の圧縮や引張が回避され、スピーカーユニット保持体が有する本来の振動吸収効果を発揮することができる。以上より、忠実な音響再生が可能になる。
【００５２】
請求項２３の発明は、音響装置であって、請求項１〜２２のいずれか１項に記載のスピーカーユニットの保持構造を具備する、ことを特徴とする。
【００５３】
このようにすれば、フレームや筐体からの不要振動の発生とその伝播が抑制され、忠実な音響再生が可能な音響装置が実現される。
【発明の効果】
【００５４】
本発明は、スピーカーユニット保持体のフレームへの取付部と筐体への取付部が、それぞれ異なるので、スピーカーユニット保持体が有する振動吸収効果が有効に発揮され、フレームや筐体の振動が効果的に減衰されるとともに、フレームと筐体の間の振動伝播も抑制される。よって、各部材からの変調音の発生が抑えられ、音声信号に忠実な音響再生が実現される。
【図面の簡単な説明】
【００５５】
【図１】本発明に係るスピーカーユニットの保持構造の一実施の形態を示す説明図である。
【図２】スピーカーユニット、筐体、そしてスピーカーユニット保持体の関係を示す図である。
【図３】スピーカーユニット保持体の実施形態を示す図である。
【図４】スピーカーユニット用取付具や筐体用取付具の嵌め込みによるスピーカーユニット保持体の取付を示す図である。
【図５】磁石の吸着力によるスピーカーユニット保持体の取付を示す図である。
【図６】スピーカーユニット用取付具や筐体用取付具の締め付けによるスピーカーユニット保持体の取付を示す図である。
【図７】塑性変形性を持つスピーカーユニット用取付具や筐体用取付具によるスピーカーユニット保持体の取付を示す図である。
【図８】塑性変形性を有する押止具を用いた押止によるスピーカーユニット保持体の取付を示す図である。
【図９】フック形状を有する部材による取付を示す図である。
【図１０】スピーカーユニット保持体に設けた挟み込み部によるスピーカーユニットや筐体への取付を示す図である。
【図１１】スピーカーユニット保持体の嵌め込みによるスピーカーユニットや筐体への取り付けを示す図である。
【図１２】振動吸収材用容器に振動吸収材が包含されたスピーカーユニット保持体を示す図である。
【図１３】スピーカーユニット保持体に振動減衰のための錘を設けた実施形態を示す図である。
【図１４】接合具を用いて複数のスピーカーユニット保持体を用いる実施形態を示す図である。
【図１５】スピーカーユニット用取付具や筐体用取付具にスピーカー防護具を設けた実施形態を示す図である。
【図１６】スピーカーユニットを上向き、もしくは下向きに保持した実施形態を示す図である。
【図１７】スピーカーユニットを支持体で支持する実施形態を示す図である。
【図１８】上向きのスピーカーユニットに支持体を設けた実施形態を示す図である。
【図１９】吊り上げ体と吊り上げ支持体により上向きのスピーカーユニットが支持された実施形態を示す図である。
【図２０】下向きのスピーカーユニットが支持された実施形態を示す図である。
【図２１】吊り上げ体と吊り上げ支持体の間に振動伝達抑制材が設けられた実施形態を示す図である。
【図２２】下向きのスピーカーユニットの支持に振動伝達抑制材が設けられた実施形態を示す図である。
【図２３】筐体外の構造物からスピーカーユニットが支持された実施形態を示す図である。
【図２４】本発明による天井埋込型スピーカーの実施形態を示す図である。
【発明を実施するための形態】
【００５６】
以下、本発明の実施の形態を図面に沿って説明する。
【００５７】
図１は本発明に係るスピーカーユニットの保持構造の一実施の形態を示す説明図、そして図２はスピーカーユニット、筐体、そしてスピーカーユニット保持体の関係を示す図である。
【００５８】
図１に示すように、スピーカーユニット１に、フレーム１ｃの先端がフランジ状に加工されたフランジ１ｄが設けられている。スピーカーユニット保持体３の一端がフランジ１ｄに取付けられ、さらに他端が筐体２の取付板２ａの開口部に取付けられることにより、スピーカーユニット１は筐体２に保持されている。
【００５９】
従来技術では、対面するスピーカーユニットと筐体の間に振動吸収材が挿入されてきたが、本発明では、スピーカーユニット保持部材３のスピーカーユニット取付部と筐体取付部は、異なる部位に設けられている。この構造では、スピーカーユニット取付部と筐体のそれぞれに振動吸収材が設けられる利点と、スピーカーユニットと筐体に挟まれることによるスピーカーユニット保持体の圧迫を回避できる利点がある。また、従来技術では振動吸収材の表裏を直線的に振動伝達したものが、本発明では、振動伝達経路が非直線的に延長されるため、スピーカーユニット保持体の振動吸収効果が高く発揮される。さらに、本実施形態では、スピーカーユニット保持部材３のスピーカーユニット取付部と筐体取付部の間に、振動減衰部３ａが設けられている。振動減衰部３ａは、スピーカーユニット１と筐体２が非接触であるため、スピーカーユニット保持部材３の振動吸収材としての効果をより高めることができる。同時に、スピーカーユニット１や筐体２の振動を吸収するのに十分な量の振動吸収材を振動減衰部３ａとして設けることが可能になる。したがって、スピーカーユニット１のフレーム１ｃや筐体２の振動が顕著に減衰されるとともに、フレーム１ｃと筐体２の間の振動伝達も効果的に抑制され、忠実な音響再生が達成される。
【００６０】
図２に示されるように、筐体の取付板２ａにスピーカーユニット１を装着するための開口部が設けられている。筐体の取付板２ａ、スピーカーユニット保持体３、そして筐体用取付具７の所定の位置に貫通穴が設けられており、ネジ１１とナット１２の締付により、スピーカーユニット保持体３は、筐体用取付具７により押し付けられ、筐体の取付板２に取付けられる。スピーカーユニット１は、フレーム１ｃの先端がフランジ加工されたフランジ１ｄが設けられている。フランジ１ｄ、スピーカーユニット保持体３、そしてスピーカーユニット用取付具４の所定の位置に貫通穴が設けられている。これらの貫通穴を貫通するネジ１１ａとナット１２ａによる締付により、スピーカーユニット保持体３は、スピーカーユニット用取付具４に押し付けられ、フランジ１ｄに取付けられる。これらの構造により、筐体２の開口部にスピーカーユニット１とスピーカーユニット保持体３が密閉して装着される。筐体用取付具７とスピーカーユニット用取付具４を用いることで、本発明のスピーカーユニットの保持構造が簡単に実施できる。
【００６１】
スピーカーユニット保持体３は、振動吸収効果のある素材であれば制限はなく、制振金属や発泡スチロールを用いることができるし、ゲル、皮、布、フェルト、そして気泡緩衝材などの可撓体、もしくはゴム、シリコンゴム、そしてウレタン等の弾性体でも良く、また、それらの素材に油やシリコンオイル等の振動吸収効果のある液体を塗布しても良い。可撓体や弾性体は振動吸収性の高さと振動伝達性の低さを有するため、スピーカーユニット保持体３の素材として望ましい。また、スピーカーユニット保持体３に可撓体や弾性体を用いることにより、振動減衰部３ａに可動性を与えることができる。これにより、振動減衰部３ａで振動が運動エネルギーに変換されるため、フレーム１ｃの不要振動が効果的に減衰される。
【００６２】
筐体の取付板２ａやスピーカーユニット１に対するスピーカーユニット保持体３の配置は、筐体の内側でも外側でもよく、それぞれ独立に決定すれば良い。なお、スピーカーユニットの振動板の前側と後側で、逆位相の音が発生するため、両者が混合されると音が打ち消し合う。したがって、スピーカーシステムは、この性質を考慮して設計されなければならない。スピーカーユニット保持体３を用いることは、筐体内部の音を遮音するのに有効である。一方で、スピーカーユニット保持体に適度な開口を設けることにより、振動板の運動を適正化することや、音質を調節することも可能であるので、目的に応じてスピーカーユニット保持体の形態を決定すれば良い。以上の性質を考慮し総合的に設計されるのであれば、スピーカーユニット保持体の形態や数に制限はなく、例えば、スピーカーユニット保持体に穴が開が設けられても、網目状であっても、複数のスピーカーユニット保持体が放射状に配置されていても構わない。
【００６３】
スピーカーユニット用取付具４や筐体用取付具７は、スピーカーユニット保持体３を取付けられるのであれば、その形状を限定されなく、例えば、リング状や多角形等の板状であっても構わないし、線状の形態でも構わない。また、複数の取付具を用いてスピーカーユニット保持体を取付けても良い。スピーカーユニット用取付具４や筐体用取付具７を用いた取付けは、広い範囲でスピーカーユニット保持体を押止するため、スピーカーユニット１もしくは筐体２と、スピーカーユニット保持体３の間の密閉性を容易に確保できる。特に、スピーカーユニット保持体３が可撓体の場合、特に有効である。スピーカーユニット用取付具４や筐体用取付具７は、固有振動が少ない素材であることが望ましく、薄くて軽い素材を用いることにより、スピーカーユニット用取付具４や筐体用取付具７が発生する変調音を抑制できる。スピーカーユニット用取付具４や筐体用取付具７に用いる素材の例としては、金属、プラスチック、アクリル、木材などが望ましいが、スピーカーユニット保持体を取付ける目的が達成されるのであれば、その素材に制限はない。
【００６４】
スピーカーユニット用取付具とや筐体用取付具にネジ溝を設けることにより、ナットを使用しないでスピーカーユニット保持体３を取付けることも可能である。同様に、スピーカーユニット１のフランジ１ｄやフレーム１ｃ、そして筐体２にネジ溝を設けて、スピーカーユニット保持体３を取付けることも可能である（図示せず）。
【００６５】
本発明は、前述した実施形態に制限されるものではなく、次のように変更することも可能である。
【００６６】
（ｉ）スピーカユニット１へのスピーカーユニット保持体の取付けは、スピーカーユニット用取付具を用いずに、接着で行うこともできる。また、筐体へのスピーカーユニット保持体の取付けは、筐体用取付具を用いずに、接着で行うことも可能である。
【００６７】
（ｉｉ）スピーカーユニット保持体の振動減衰部を設けない実施形態も可能である。図３（ａ）は、スピーカーユニットの上端取付部の断面を示している。この図に示されるように、フランジ１ｄと筐体２ａの間に振動減衰部が設けれていない。この形態では、スピーカーユニット保持体３Ａがフランジ１ｄと筐体２の両方に設けられるため、従来技術より多くの振動吸収材を装着することが可能である。また、フランジ１ｄから筐体２への振動伝達経路が直線的でないため、スピーカーユニット保持体３Ａによる振動吸収効果が高い。さらに、スピーカーユニット保持体３に可撓体や弾性体を用いる場合、可動性を有するので、振動が運動エネルギーに変換され、スピーカーユニット１の不要振動が効果的に減衰される。以上の理由により、フレームの振動が効果的に抑制され、忠実な音響再生が可能になる。
【００６８】
（ｉｉｉ）スピーカーユニット保持体は、平板状でなくてもよく、スピーカーユニットと筐体をスピーカーユニット保持体の異なる位置に取り付けできるのであれば、その形状は限定されない。図３（ｂ）は、スピーカーユニット上端の取付部断面を示している。断面がコの字状のスピーカーユニット保持体３Ｂは取付板２ａの開口部に周設されている。この実施形態では、スピーカーユニットと筐体が同一面に並ばず、フランジ１ｄが筐体２の前側（振動板面側）に位置している。この実施形態は、スピーカーシステム正面からのスピーカーユニット保持体の投影面積が小さいため、スピーカーシステムの小型化に有効である。なお、フランジ１ｄは、筐体の内側に位置することもできる。図３（ｂ）では、スピーカーユニット保持体の断面はコの字状であるが、筐体への取付面とスピーカーユニットへの取付面が、前後に配置できるのであれば、スピーカーユニット保持体の形状に制限はない。
【００６９】
（ｉｖ）スピーカーユニット保持体の取付面は、筐体開口部の切断面であっても構わない。図３（ｃ）は、スピーカーユニットの上端の取付部の断面を示している。断面がＬ字状のスピーカーユニット保持体３Ｃは筐体の取付板２ａの開口部に周設され、開口部の中心側から筐体用取付具７’により筐体２ａに取付けられる。図３（ｃ）では、スピーカーユニット保持体の断面はＬ字状であるが、筐体開口部の切断面にスピーカーユニット保持体が取付けられるのであれば、その形状に制限はない。
【００７０】
（ｖ）フレームの構成要素であるフランジにスピーカーユニット保持体を取付けることにより、本発明の形態が簡便に実施できる。しかしながら、フランジではなく、フレームにスピーカーユニット保持体を取付けることもできる。図３（ｄ）に示すように、フレームの傾きに合わせた形状のスピーカーユニット用取付具４’により、フレーム１ｃにスピーカーユニット保持体３Ｄが取付けられる。なお、フレーム１ｃにネジ穴を設けることにより、ナットを用いずにスピーカーユニット保持体３Ｄを取付けることが可能である。図３（ｄ）では、スピーカーユニット保持体の断面はＬ字状であるが、フレームにスピーカーユニット保持体が取付けられるのであれば、その形状に制限はない。
【００７１】
（ｖｉ）スピーカーユニット用取付具や筐体用取付具をそれぞれフレームや筐体に取付ける手段は、特に限定されない。嵌め込みによる取付け例を図４に示す。図４（ａ）は、本実施形態のスピーカーシステムの正面図である。図４（ｂ）は、図４（ａ）のＡ−Ａ’線断面図を示す。スピーカーユニットのフランジには、凸部を持つ対合部１ｆが設けられる。スピーカーユニット用取付具４Ａには、凹部が設けられる。フランジの対合部１ｆの凸部とスピーカーユニット用取付具４Ａの凹部が嵌め込み合うことで、両者に挟まれたスピーカーユニット保持体３Ｅがフランジ１ｄに取付けられる。同様に、筐体開口部もしくは開口部周辺に、凸部を持つ対合部２ｃが設けられる。また、筐体用取付具７Ａに、凹部が設けられる。筐体の対合部２ｃの凸部と筐体用取付具７Ａの凹部が嵌め込み合うことで、両者に挟まれたスピーカーユニット保持体３Ｅが筐体２に取付けられる。また、図４（ｃ）に示すように、対合部の凸部と凹部の関係を逆に構成することも可能である。スピーカーユニットのフランジには、凹部を持つ対合部１ｇが設けられる。スピーカーユニット用取付具４Ｂには、凸部が設けられる。フランジの対合部１ｇの凹部とスピーカーユニット用取付具４Ｂの凸部が嵌め込み合うことで、両者に挟まれたスピーカーユニット保持体３Ｆがフランジ１ｇに取付けられる。同様に、筐体開口部もしくは開口部周辺に、凹部を持つ対合部２ｄが設けられる。筐体用取付具７Ｂに、凸部が設けられる。筐体の対合部２ｄの凹部と筐体用取付具７Ｂの凸部が嵌め込み合うことで、両者に挟まれたスピーカーユニット保持体３Ｆが筐体２に取付けられる。なお、本実施の形態において、スピーカーユニットのフランジとスピーカーユニット用取付具、そして筐体と筐体用取付具の嵌め込みは、全周に渡る必要はなく、スピーカーユニット保持体が取付けられるのであれば、部分的な嵌め込みでも構わない。また、スピーカーユニット用取付具と筐体用取付具に設けられる対合部の凹凸形状は、それぞれ独立に選択しても良い。スピーカーユニット用取付具と筐体用取付具は、筐体内側から、それぞれスピーカーユニットや筐体に取付けることも可能である。
【００７２】
（ｖｉｉ）図５は、磁石の吸引力でスピーカーユニット保持体を取付けた実施の形態である。図５（ａ）は、本スピーカーシステムの正面図である。図５（ｂ）は、図５（ａ）のＢ−Ｂ’線断面図である。スピーカーユニット１のフランジ１ｄに磁石８が格納される磁石取付部１ｈが設けられている。スピーカーユニット用取付具４Ｂは磁石８’が格納される磁石取付部４ｂが設けられている。磁石８と磁石８’の吸着力により、スピーカーユニット保持体３Ｇがスピーカーユニット１のフランジ１ｄとスピーカーユニット用取付具４Ｂに挟まれ取付けられる。本実施の形態では、磁石８のＮ極８ａと磁石８’のＳ極８ｂが対面しているが、磁石８のＳ極と磁石８’のＮ極が向き合って結合しても構わない。筐体２の開口部に磁石８’’が格納される磁石取付部２ｅが設けられている。筐体用取付具７Ｃには磁石８’’’が格納される磁石取付部７ｂが設けられている。磁石８’’と磁石８’’’の吸着力により、スピーカーユニット保持体３Ｇは、筐体２と筐体用取付具７Ｃに挟まれ取付けられる。本実施の形態では、磁石８’’のＳ極８ｂと磁石８’’’のＮ極８ａが向き合っているが、磁石８’’のＮ極８ａと磁石８’’’のＳ極８ｂが向き合って結合しても良い。磁石８、磁石８’、磁石８’’、そして磁石８’’’の形状、個数、そして配置などは限定されない。本実施形態では、磁石の吸引力を用いて係止するので、スピーカーユニット１の磁石取付部１ｈ、スピーカーユニット用取付具４Ｂ、筐体２の開口部、そして筐体用取付具７Ｃは、非磁性体が望ましく、スピーカーユニット１やスピーカーユニット保持体３Ｇを保持する剛性があれば、材質は制限されない。本実施形態では、磁石を安定的に取り付けるために、磁石が格納される磁石取付部１ｈ、磁石取付部４ｂ、磁石取付部２ｅ、そして磁石取付部７ｂが設けられている。機械的安定性が求められないのであれば、磁石取付部１ｈ、磁石取付部４ｂ、磁石取付部２ｅ、そして磁石取付部７ｂを用いないで、磁石による支持を行うことも可能である。スピーカーユニット用取付具と筐体用取付具は、筐体内側もしくは外側のどちらからでも取付けることも可能である。
【００７３】
（ｖｉｉｉ）スピーカーユニット用取付具と筐体用取付具を外周から締め付けることにより、スピーカーユニット保持体を固定することも可能である。図６（ａ）は、本実施形態の上面図である。図６（ｂ）は、図６（ａ）のＣ−Ｃ’線断面図、図６（ｃ）は、図６（ａ）のＤ−Ｄ’線断面図である。筐体２の開口部に、筒状の突出構造である被締付部２ｆが設けられている。スピーカーユニット保持体３Ｈの一端は、被締付部２ｆを覆い、さらにスピーカーユニット保持体３Ｈに筐体用取付具７Ｄが周設される。筐体用取付具７Ｄの締付部 ７ｃに設けられたネジ機構による締め付けにより、スピーカーユニット保持体３Ｈは、被締付部２ｆに取付けられる。スピーカーユニット１のフレーム１ｃの先端に、筒状の突出構造である被締付部１ｉが設けられている。スピーカーユニット保持体３Ｈの一端は、被締付部１ｉを覆い、さらにスピーカーユニット用取付具４Ｃが周設される。スピーカーユニット用取付具４Ｃの締付部 ４ｃに設けられたネジ機構による締め付けにより、スピーカーユニット保持体３Ｈは、被締付部１ｉに取付けられる。筐体の被締付部２ｆは、筐体の内側でも外側でもどちらに設けられても構わない、また、スピーカーユニット保持体３Ｈは、スピーカーユニットの被締付部１ｉの前側でも後側でも、どちら側から設けられても構わない。スピーカーユニット用取付具４Ｃや筐体用取付具７Ｄの締め付け方法は、ネジ機構に限らず、どのような方法で締め付けても良い。
【００７４】
（ｉｘ）塑性変形性を持つスピーカーユニット用取付具や筐体用取付具を用いて、スピーカーユニット保持体を、それぞれスピーカーユニットや筐体に取付けることができる。図７（ａ）は、スピーカーユニット上端の結合部を示す斜視図であり、図７（ｂ）は、図７（ａ）のＥ−Ｅ’線の断面図である。スピーカーユニット用取付具４Ｄには板状の押し曲げ部４ｄが設けられている。押し曲げ部４ｄは、スピーカーユニット１のフランジ１ｄに設けられた貫通穴１ｊとスピーカーユニット保持体３Ｉに設けられた貫通穴３ｃを貫通するとともに、フランジ方向に押し曲げられ、スピーカーユニット保持体３Ｉをフランジ１ｄに固定する。また、筐体用取付具７Ｅには板状の押し曲げ部７ｄが設けられている。押し曲げ部７ｄは、筐体２に設けられた貫通穴２ｂとスピーカーユニット保持体３Ｉに設けられた貫通穴３ｄを貫通するとともに筐体方向に押し曲げられ、スピーカーユニット保持体３Ｉを筐体２に固定する。本実施形態において、スピーカーユニット用取付具と筐体用取付具に用いられる素材は、塑性変形性を有すれば特に限定されない。また、スピーカーユニット保持体３Ｉは、筐体２やスピーカーユニット１のフランジ１ｄに対して、筐体内側や外側、どちらの位置に設けられてもかまわないし、それに応じて、スピーカーユニット用取付具４Ｄや筐体用取付具７Ｅの位置を変更すれば良い。
【００７５】
（ｘ）塑性変形性を有する押止具で押止することで、スピーカーユニット保持体をスピーカーユニットもしくは筐体に取付けることができる。図８（ａ）は、スピーカーユニットとスピーカーユニット保持体の結合部を示す斜視図である。スピーカーユニット保持体３Ｊがスピーカーユニット１のフランジ１ｄとスピーカーユニット用取付具４Ｅで挟まれた重層構造を設け、この重層構造の両端を、スピーカーユニット保持体３Ｊの貫通穴３ｅを介して押止具１３で押止することにより、スピーカーユニット保持体３Ｊをスピーカーユニットに係止することができる。図８（ｂ）は、筐体とスピーカーユニット保持体の結合部を示す斜視図である。スピーカーユニット保持体３Ｊが筐体２と筐体用取付具７Ｆで挟まれた重層構造を設け、この重層構造の両端を、スピーカーユニット保持体３Ｊの貫通穴３ｆを介して押止具１３ａで押止することにより、スピーカーユニット保持体３Ｊを筐体２に取付けることができる。これらのように塑性変形性を持つ押止具でスピーカーユニット保持体を取付けることにより、スピーカーユニット保持体の脱着が容易になるので大量生産に適した構造である。また、スピーカーユニット保持体３Ｊは、筐体２やスピーカーユニット１のフランジ１ｄに対して、筐体内側や外側、どちらの位置に設けられてもかまわないし、それに応じて、スピーカーユニット用取付具４Ｅや筐体用取付具７Ｆの位置を変更すれば良い。
【００７６】
（ｘｉ）フック形状を有する部材を用いて、スピーカーユニット保持体をスピーカーユニットや筐体開口部に取付けることができる。図９（ａ）は、本実施形態によるスピーカーシステムの正面図であり、図９（ｂ）は、図９（ａ）のＦ−Ｆ’線の断面図である。フック部を有する留具１４がスピーカーユニット１のフランジ１ｄの周囲に複数設けられ、フック部を有する留具１４ａが筐体の取付板２ａの開口部の周囲に設けられる。留具１４のフック部は、スピーカーユニット保持体３Ｋの貫通穴３ｇを掛止する。同様に、各留具１４ａのフック部は、スピーカーユニット保持体３Ｋの貫通穴３ｈを掛止する。このようにすることにより、スピーカーユニット１は、スピーカーユニット保持体３Ｋを介して筐体２に保持される。留具１４や留具１４ａの数、大きさ、そして形状は、スピーカーユニット１の保持に支障のない範囲で、任意に選択することができる。留具１４や留具１４ａは、筐体の内側にも、外側にも設けることもできるし、それらの取付側は、それぞれ独立に選択できる。図９（ｃ）に、留具を用いない場合の、実施形態を示す。図９（ｃ）に示されるように、スピーカーユニット１のフランジ１ｄにフック部１ｍが複数設けられ、筐体２の開口部にフック部２ｈが複数設けられている。スピーカーユニット１のフック部１ｍは、スピーカーユニット保持体３Ｋの貫通穴３ｇを掛止し、筐体のフック部２ｈは、スピーカーユニット保持体３Ｋの貫通穴３ｈを掛止することにより、スピーカーユニット１は、スピーカーユニット保持体３Ｋを介して筐体２に保持される。フック部２ｈやフック部１ｍの数、大きさ、そして形状は、スピーカーユニット１の保持に支障のない範囲で、任意に選択することができる。フック部２ｈやフック部１ｍは、筐体の内側に設けることもできるし、フック部２ｈやフック部１ｍの取付側は、それぞれ独立に選択できる。
【００７７】
（ｘｉｉ）スピーカーユニット保持体に、スピーカーユニットと筐体をそれぞれ挟み込む部位を設けることにより、スピーカーユニット用取付具や筐体用取付具を用いなくても、スピーカーユニットを筐体に保持することが可能である。図１０（ａ）は、本実施形態によるスピーカーシステムの正面図であり、図１０（ｂ）は、図１０（ａ）のＧ−Ｇ’線の断面図である。スピーカーユニット保持体３Ｌに、スピーカーユニット１のフランジ１ｄを外周から挟んで取付ける対スピーカーユニット挟み込み部３ｉを設け、さらに筐体２の取付板２ａの開口部を挟んで取付ける対筐体挟み込み部３ｊを設けることができる。対スピーカーユニット挟み込み部３ｉや対筐体挟み込み部３ｊが、それぞれスピーカーユニットや筐体に取付けられることにより、スピーカーユニット１は、筐体２に保持される。なお、フランジ１ｄを有しないスピーカーユニットの場合、対スピーカーユニット挟み込み部３ｉは、フレーム１ｃの先端を挟み込んでもよい。
【００７８】
スピーカーユニット保持体３Ｌは、スピーカーユニット１や取付板２ａを挟み込みつつスピーカーユニット１を保持できる強度を有し、また、取付け過程において、対スピーカーユニット挟み込み部３ｉや対筐体挟み込み部３ｊが、それぞれスピーカーユニット１や筐体を挟み込むための変形性を有する必要がある。スピーカーユニット保持体３Ｌとしては、振動吸収性があり、先に述べた強度や変形性を有する素材であれば材質を制限されない。そのような材質の例として、ゲルやスポンジなどの可撓体、ゴムやウレタンなどの弾性体を用いることができる。
【００７９】
スピーカーユニット保持体３Ｌは、複数の素材で構成されても良い。例えば、対スピーカーユニット挟み込み部３ｉ、対筐体挟み込み部３ｊ、そして振動減衰部３ａを別の素材で構成することもできる。このようにすることにより、スピーカーユニット保持のための強度や振動減衰効果を適正化することができる。例えば、金属等の剛体で形成された振動減衰部３ａの両端に、可撓体や弾性体で形成された対スピーカーユニット挟み込み部３ｉや対筐体挟み込み部３ｊを設けることが可能である。各部材の一体化は、対スピーカーユニット挟み込み部や対筐体挟み込み部に振動減衰部を挟み込む部位を設けることや、接着等で行うことが可能である。また、２枚のスピーカーユニット保持体を貼り合わせ、非接着部を部分的に設けることにより、対スピーカーユニット挟み込み部や対筐体挟み込み部とすることも可能である。スピーカーユニット保持体３Ｌは、表側と裏側で異なる素材を用いることもできる。
【００８０】
対スピーカーユニット挟み込み部３ｉは、スピーカーユニット全周を挟み込んでも良いし、部分的に挟み込んでも良い。同様に、対筐体挟み込み部３ｊは、筐体開口部全周を挟み込みしても良いし、部分的に挟み込んでも良い。また、対スピーカーユニット挟み込み部３ｉとスピーカーユニットのフランジ、または対筐体挟み込み部３ｊと筐体の間を接着材等で補強することもできる。本実施形態は、スピーカーユニット用取付具や筐体用取付具を必要としないため、製造コストを低いことや、取付が容易であることから大量生産に適している。
【００８１】
（ｘｉｉｉ）筐体やスピーカーユニットに突出部を設け、それらの突出部をスピーカーユニット保持体に設けた突出部で嵌め込むことで、スピーカーユニットを筐体に保持することができる。図１１（ａ）は、本実施形態によるスピーカーシステムの正面図であり、図１１（ｂ）は、図１１（ａ）のＨ−Ｈ’線の断面図である。スピーカーユニット１のフランジ１ｄにスピーカーユニット突出部１ｎが設けられている。スピーカーユニット保持体３Ｍには、対スピーカーユニット突出部３ｐ’が設けられている。スピーカーユニット突出部１ｎを対スピーカーユニット突出部３ｐ’が嵌め込むことで、スピーカーユニット１にスピーカーユニット保持体３Ｍを取付けることができる。また、筐体の取付板２ａの開口部もしくは開口部の周辺に筐体突出部２ｉが設けられている。スピーカーユニット保持体３Ｍには、対筐体突出部３ｐが設けられている。筐体突出部２ｉを対筐体突出部３ｐが嵌め込むことで、筐体２にスピーカーユニット保持体３Ｍを取付けることができる。図１１（ｃ）に示すように、形態を変形することも可能である。スピーカーユニットのフランジ１ｄのスピーカーユニット突出部１ｏと筐体の取付板２ａの開口部もしくは開口部の周辺に設けられた筐体突出部２ｋは、先端ほど両者の間隔が広がるように傾いて設けられている。スピーカーユニット保持体３Ｎの対スピーカーユニット突出部３ｒと対筐体突出部３ｒ’が、突出部１ｏと突出部２ｋを嵌め込み結合することで、スピーカーユニット１を筐体２に保持することが可能である。スピーカーユニット突出部１ｏと筐体突出部２ｋの先端の間隔を広げることにより、より強固に対スピーカーユニット突出部３ｒ’や対筐体突出部３ｒと嵌め込み合うことができる。
【００８２】
スピーカーユニット突出部１ｎや１ｏは、スピーカーユニットのフランジ１ｄではなく、フレーム１ｃに設けることも可能である。スピーカーユニット保持体３Ｍや３Ｎの素材としては、振動吸収性があり、スピーカーユニット１を支持できる強度を有すれば、制限されない。そのような素材の例として、ゲルやスポンジなどの可撓体、ゴムやウレタンなどの弾性体を用いることができる。スピーカーユニット突出部１ｎや１ｏや筐体突出部２ｉや２ｋは、筐体内側でも外側でも、どちらに設けられても構わない。スピーカーユニット突出部１ｎや１ｏ、そして筐体突出部２ｉや２ｋ両突出部の向きに応じて、スピーカーユニット保持体に設けられた対スピーカーユニット突出部３ｐ’や３ｒ’、そして対筐体突出部３ｐや３ｒの向きを選択することができる。
【００８３】
（ｘｉｖ）不定形な振動吸収材、もしくは振動吸収材の不定形な集合体を振動吸収材用容器に包含して、振動吸収性を有するスピーカーユニット保持体とすることも可能である。図１２（ａ）は、スピーカーユニット保持体３Ｏの正面図であり図１２（ｂ）は、図１２（ａ）のＩ−Ｉ’線の断面図である。振動吸収材用容器１８は、中空の円盤状であり、スピーカーユニットの振動板を露出させるための開口部３ｚや、スピーカーユニットを結合するための貫通穴３ｔや筐体に結合するための貫通穴３ｓが設けられているが、振動吸収材用容器１８の外部に内容物が漏れないように密閉性が保たれている。振動吸収材用容器１８の内部に、粒状、フォーム状、そして液状などの振動吸収作用のある振動吸収材１７を充填して、スピーカーユニット保持体３Ｏを形成する。スピーカーユニット保持体３Ｏは、スピーカーユニット用取付具や筐体用取付具などを用いて、スピーカーユニットや筐体に取付けられる。
【００８４】
振動吸収材１７は、振動吸収作用を有し、振動吸収材用容器１８に充填可能であれば、材質は限定されないが、例として、水晶粒、石材粒、木材粒、制振金属粒、そして発泡プラスチック粒などの粒状、そして水、油、液体金属等の液体、ウレタンフォーム等のフォーム状、もしくはそれらの複数の制振材を組み合わたものなどがある。振動吸収材用容器１８は、振動吸収材１７を内部に留めることができて、変調振動が少なければ、材質を限定されなく、振動吸収材１７へ効率良く振動を伝達するために、薄い素材を用いることも可能であるし、振動吸収材用容器１８にも振動吸収作用を持たせることも可能である。振動吸収材用容器１８の材質の例として、ゲル、シリコン、プラスチック、ゴム、布、皮、合成皮、そして金属等があげられる。可撓性の高い材質で形成された振動吸収材用容器１８に振動吸収材１７を充填する時、振動吸収材用容器１８の形状が崩れることもあり得る。その場合、振動吸収材用容器１８の対面を所々で結合することで、振動吸収材用容器１８の形崩れを抑制できる。スピーカーユニット保持体３Ｏは、円盤状に限らず、スピーカユニットや筐体の形状、そして取付手段に応じて、形状を変更しても良い。スピーカーユニット１や筐体２へのスピーカーユニット保持体３Ｏの取付け手段は、特に限定されない。
【００８５】
（ｘｖ）スピーカーユニット保持体の振動減衰部に錘を設けることにより、スピーカーユニット保持体の振動減衰効果を高めることが可能である。図１３（ａ）は、本実施形態におけるスピーカーシステムの正面図であり、図１３（ｂ）は、図１３（ａ）のＪ−Ｊ’線の断面図である。振動減衰部３ａａに錘２９を設けることにより、振動減衰部３ａａと錘２９の間で急激な音響インピーダンスの変化をもたらし、フレーム１ｃの不要振動を振動減衰部３ａａでより効果的に減衰することが可能になる。振動減衰部３ａａと錘２９の音響インピーダンスの差により振動が減衰されるため、錘２９は、音響インピーダンスが高いことが求められる。そのような性質を満たせば錘２９の材質は制限されないが、例えば、真鍮、鉛、砲金、鉄、石、水晶、樹脂等やそれらの複合素材であることが望ましい。
【００８６】
図１３（ｂ）に示すように、錘２９は、ギボシ状の形態をしており、端部から振動減衰部３ａａの貫通穴に挿入し、中間のクビレ部で振動減衰部３ａａに取付けることが可能である。振動減衰部３ａａが錘２９のくびれ部で安定的に取付けれれるためには、振動減衰部３ａａは、可撓性体もしくは弾性体である必要がある。重さ、大きさ、そして材質などが異なる複数種類の錘を用いても構わない。また、使用する錘の数や配置にも制限はない。錘の位置を非対称的に配置することにより、定在波の発生を抑制することも可能である。
【００８７】
図１３（ｃ）のように、錘２９ｄは、振動減衰部３ａｂの貫通穴を貫通するネジ部が設けられ、ナット２９ｅ等の締付部材により、錘２９ｄを振動減衰部３ａｂに取付けることも可能である。この場合、振動減衰部３ａｂは、可撓性体、弾性体、そして剛性体を用いることができる。
【００８８】
図１３（ｄ）に示すように、錘２９ｇに磁石２９ｈ、そして錘２９ｇ’に磁石２９ｈ’をそれぞれ結合し、振動減衰部３ａｃを挟んで対面する磁石２９ｈと２９ｈ’の吸着力により、錘２９ｇおよび錘２９ｇ’を振動減衰部３ａｃに取付けることも可能である。この場合、振動減衰部３ａｃは、可撓性体、弾性体、そして剛性体を用いることができるが、非磁性体が望ましい。
【００８９】
図１３（ｄ）では、磁石２９ｈのＳ極２９ｋと磁石２９ｈ’のＮ極２９ｉ’が対面しているが、磁石２９ｈのＮ極２９ｉと磁石２９ｈ’のＳ極２９ｋ’が対面していても構わない。また、錘が磁石２９ｈと磁石２９ｈ’の両方に結合している必要はなく、片側のみでも構わないし、磁石２９ｈと磁石２９ｈ’が十分な音響インピーダンスを有する場合、錘を省略することができる。磁石２９ｈと磁石２９ｈ’の間に、錘と振動減衰部３ａｃ挟み、錘を振動減衰部３ａｃに取付けることも可能である。
【００９０】
図１３（ｅ）のように、錘２９ｍを振動減衰部３ａｄに埋め込むことも可能である。この場合、振動減衰部３ａｂは、可撓性体、弾性体、そして剛性体を用いることができる。
【００９１】
（ｘｖｉ）２つ以上の振動吸収体を用いて、スピーカーユニット保持体を形成することがが可能である。個々の振動吸収体は、吸収周波数特性や吸収レベルなど、固有の特性を持つ。そのため、２つ以上の振動吸収体を併用することにより、各振動吸収体の長所を合わせた振動吸収効果が得られる。複数の振動吸収体を重ねて、もしくは、さらに接着して使用することも可能であるし、複数の振動吸収体を部分的に繋げて１つの振動吸収体を形成しても良い。複数の振動吸収体を繋げるにあたり、その手段は特に制限されない。振動吸収体の材質も振動吸収効果があるものであれば、使用を制限されない。
【００９２】
図１４（ａ）は２種類の振動吸収体を繋げて１つの振動吸収体を形成した実施の形態である。図１４（ｂ）は、図１４（ａ）のＫ−Ｋ’線の断面図である。振動吸収体３Ｐの外周部と振動吸収体３Ｑの内周部は、リング状に重なり合う部位を持つ。この重なり合う部位を接合具１５と１５ａが挟みこむことにより、振動吸収体３Ｐと３Ｑが繋がれる。ネジ１１ｅは、接合具１５、振動吸収体３Ｐ、振動吸収体Ｑ、および接合具１５ａを貫通し、ナット１２ｂにより締付られるので、振動吸収体３Ｐと振動吸収体Ｑは、接合具１５および接合具１５ａにより係止される。本実施の形態では、スピーカユニット１は、振動吸収体３Ｐに設けられた貫通穴３ｖを利用してボルト等により、振動吸収体３Ｐに係合され、振動吸収体３Ｑは、振動吸収体３Ｑに設けられた貫通穴３ｗを利用してボルト等により、筐体に装着される。しかし、スピーカーユニット１の振動吸収体３Ｐへの係合や、振動吸収体３Ｑの筐体への係合は、安定に支持できるのであれば、それらの係合方法に制限を受けない。高い音響インピーダンスを持つ接合具１５、１５ａを用いることにより、接合具１５、１５ａを、不要振動吸収のための錘とすることも可能である。
【００９３】
（ｘｖｉｉ）スピーカーユニット用取付具や筐体用取付具にスピーカー防護具を設けることにより、それらの取付具に、スピーカー防護機能を付加させることが可能である。本実施形態では、スピーカー防護具を筐体に取り付ける部材が必要なく、部品コストや組立時間を抑制できるため、産業上の利点がある。図１５（ａ）は、挟み込み式の筐体用取付具７Ａに、スピーカー防護具１９を設けた実施の形態である。図１５（ｂ）は、挟み込み式のスピーカーユニット用取付具４Ａに、スピーカー防護具１９ａを設けた実施の形態である。図１５（ａ）と（ｂ）では、挟み込み式の筐体用取付具の例を示したが、スピーカー防護具がスピーカー前面に取り付けられれば、スピーカー防護具をどのような形式の筐体用取付具や筐体用取付具に設けても構わない。一方、スピーカー防護具を脱着式にすることにより、意匠の異なるスピーカー防護具の付け替え、視聴時の取り外し、メインテナンス性の向上などの効果が得られる。
【００９４】
（ｘｖｉｉｉ）スピーカーユニットは、スピーカーユニット保持体を介して保持できるのであれば、筐体のどの面で保持しても構わないし、球体、卵型、円筒形等、物理的に本発明のスピーカーユニットの保持構造で保持できるのであれば、どのような形状の筐体の、どの位置に設けても構わない。
【００９５】
（ｘｉｘ）図１のようにスピーカーユニットを横向きに保持した場合でも、本発明の効果は十分得られる。しかし、横向きに保持した場合、スピーカーユニットの重量バランスが悪く、スピーカーユニットの姿勢維持のために、スピーカーユニット保持体が強い張力でスピーカーユニットを保持する必要がある。さらに、振動板の運動と磁気回路に加わる反作用により、スピーカーユニットや筐体の揺動が発生する。スピーカーユニットや筐体の揺動は、振動板の基準点を曖昧にするため、音響再生を不明確にする。スピーカーユニットの揺動を抑制するために、スピーカーユニット保持体が強い張力でスピーカーユニットを保持する必要が生じる。スピーカーユニット保持体に張力が発生すると、スピーカーユニット保持体の振動吸収効果は減少する。
【００９６】
しかしながら、図１６に示すように、スピーカーユニットを上向き、もしくは下向きに保持すると、重量バランスや揺動の問題が解決されるので、スピーカーユニット保持体の振動吸収効果が十分に発揮され、忠実な音響再生が可能になる。ここで、「スピーカーユニットを上向き、もしくは下向き」には、振動板の運動方向が鉛直方向である場合のほか、前記鉛直方向に対し傾いている場合も含まれる。図１６（ａ）は、スピーカーユニットを上向きに保持した実施形態を示す。図１６（ｂ）は、スピーカーユニットを下向きに保持した実施形態であり、筐体下部を脚部２ｍで支持し、筐体下方に音波を放出する空間を設けている。本実施形態では、スピーカーユニット用取付具４と筐体用取付具７により、スピーカーユニット保持体３が取付けられているが、スピーカーユニット保持体の取付手段はこれに制限されない。
【００９７】
（ｘｘ）スピーカーユニット保持体によるスピーカーユニットの保持以外に、スピーカーユニットの支持手段を設けることにより、本発明の効果をより高めることができる。図１７（ａ）に示す実施の形態では、スピーカーユニット１の背面に設けられた磁気回路と筐体２の底板に結合する支持体２０が設けられている。支持体２０は、スピーカーユニット１の支持手段であり、筐体２に対するスピーカーユニット１の位置を決定している。スピーカーユニット保持体３がスピーカーユニット１の重量支持を行わないため、スピーカーユニット保持体３に荷重がかかることが回避されるとともに、スピーカーユニット保持体３を、フランジ１ｄとスピーカーユニット用取付具４、もしくは、筐体２と筐体用取付具７で圧着する力を弱めることができる。したがって、スピーカーユニット保持体３の圧迫や圧縮を避け、スピーカーユニット保持体３の振動吸収効果を高めることができる。結果として、本実施形態では、フランジ１ｄやフレーム１ｃの不要振動が効果的に減衰され、より忠実な音響再生が可能になる。さらに、支持体２０を設けることにより、スピーカーユニット保持体３を撓ませてスピーカーユニット１を筐体２に保持することが可能になる。スピーカーユニット保持体３を撓ませることにより、スピーカーユニット１の不要振動を効果的に減衰するとともに、スピーカーユニット１から筐体２への振動伝達を顕著にに抑制することができる。前述のように、可撓体や弾性体のスピーカーユニット保持体のみでスピーカーユニットを保持すると、スピーカーユニットが傾くこともある。しかし、支持体を用いてスピーカーユニットを支持すると、スピーカーユニットが傾くことも回避される。本実施形態では、スピーカーユニット用取付具４と筐体用取付具７により、スピーカーユニット保持体３が取付けられているが、スピーカーユニット保持体の取付手段はこれに制限されない。
【００９８】
図１７（ｂ）は、スピーカーユニット１を取付板２ａから支持体２０ａで支持した実施形態である。支持体２０ａは、スピーカーユニット１の磁気回路に結合し、さら取付板の複数箇所に結合することにより、スピーカーユニット１を支持している。支持体は、スピーカーユニットを支持する目的が達成されるのであれば、筐体のどの位置からスピーカーユニットを支持しても構わないし、支持体の形状や個数の制限もない。本実施形態では、スピーカーユニット用取付具４と筐体用取付具７により、スピーカーユニット保持体３が取付けられているが、スピーカーユニット保持体の取付手段はこれに制限されない。
【００９９】
（ｘｘｉ）支持体によるスピーカーユニットの支持は、スピーカーユニットが上向き、もしくは下向きの場合でも可能である。図１８は、上向きのスピーカーユニット１が支持体２０ｂにより、筐体２Ａの底板から支持されている。本実施形態では、スピーカーユニット用取付具４と筐体用取付具７により、スピーカーユニット保持体３が取付けられているが、スピーカーユニット保持体の取付手段はこれに制限されない。
【０１００】
また、吊り上げ体を用いてスピーカーユニットを筐体から吊り上げることが可能である。この実施形態の正面図を図１９（ａ）、そして側面図を図１９（ｂ）に示す。筐体２Ａの外部に吊り上げ体２２が設けられ、吊り上げ支持体２３を介してスピーカーユニット１Ａが吊り上げられて支持されている。吊り上げ支持体２３は、スピーカーユニット１Ａの振動板側から磁気回路に結合している。この実施形態では、吊り上げ体と吊り上げ支持体を用いた支持手段により、スピーカーユニットが吊り上げられているため、スピーカーユニット保持体にスピーカーユニットの荷重がかからないため、スピーカーユニット保持体の振動吸収効果が十分に発揮される。また、スピーカーユニットの揺動も抑制されている。さらに、吊り上げ支持体２３と吊り上げ体２２は、筐体外部に設けられているため、筐体内部に設けられた場合よりも、振動の影響を受けにくく、より忠実な音響再生が可能になる。本実施形態では、スピーカーユニット用取付具４と筐体用取付具７により、スピーカーユニット保持体３が取付けられているが、スピーカーユニット保持体の取付手段はこれに制限されない。
【０１０１】
図２０（ａ）は、下向きのスピーカーユニット１を、筐体２Ｂの天板から支持体２０ｅで支持したスピーカーシステムの正面図である。支持体２０ｅの筐体への結合位置は、スピーカーユニット１の重量を支持できるのであれば、天板に限らず、筐体のどの位置に結合することもできる。本実施形態では、スピーカーユニット用取付具４と筐体用取付具７により、スピーカーユニット保持体３が取付けられているが、スピーカーユニット保持体の取付手段はこれに制限されない。
【０１０２】
図２０（ｂ）に示すように、筐体２Ｂの内部に、門型の吊り上げ体２２ａを設けて、吊り上げ支持体２３でスピーカーユニットを支持することも可能である。この実施形態では、吊り上げ体２２ａは、スピーカーユニット１の重量を吊り上げ支持できるのであれば、形状は制限されない。また、吊り上げ体２２ａは、筐体底面に限らず筐体のどの位置に結合しても良い。本実施形態では、スピーカーユニット用取付具４と筐体用取付具７により、スピーカーユニット保持体３が取付けられているが、スピーカーユニット保持体の取付手段はこれに制限されない。
【０１０３】
（ｘｘｉｉ）スピーカーユニットの支持手段に振動伝達抑制材を設け、筐体からスピーカーユニットのフレームに伝わる振動を抑制することができる。吊り上げ体に振動伝達抑制材を設けた実施形態の正面図を図２１（ａ）、そして側面図を図２１（ｂ）に示す。筐体に設けられた吊り上げ体２２ｂの上面に貫通穴が設けられている。そして、貫通穴が設けられた振動伝達抑制材２５が、吊り上げ体２２ｂの上面に配置されている。さらに、上端部に平板状の引掛部２３ｒが設けられた吊り上げ支持体２３ａは、振動伝達抑制材２５の貫通穴と吊り上げ体２２ｂの貫通穴を貫通し、そして下端に上向きのスピーカーユニット１Ａの磁気回路が結合されている。この実施形態では、振動伝達抑制材２５を介して吊り上げ支持体２３ａの引掛部２３ｒが支持される。さらに、吊り上げ体２２ｂの貫通穴の内径は、吊り上げ支持体２３ａの貫通部の外径より大きいため、吊り上げ支持体２３ａは、吊り上げ体２２ｂに接触することなく支持される。その結果、筐体２Ａからスピーカーユニットのフレーム１ｃへの振動伝達が抑制される。
【０１０４】
本実施例では、吊り上げ支持体２３ａを支持するための貫通穴が、吊り上げ体２２ｂに設けられているが、貫通穴である必要もなく、吊り上げ体２２ｂの端が貫入する部位で支持することや、複数の吊り上げ体が吊り上げ支持体の側方から支持することも可能であり、吊り上げ支持体２３ａの引掛部２３ｒが支持できるのであれば形式や形状に制限はない。また、振動伝達抑制材２５についても、引掛部２３ｒと吊り上げ体２２ｂの上面の間に挿入できるのであれば、形状に制限はない。吊り上げ支持体２３ａの引掛部２３ｒは、振動伝達抑制材２５の上面で係止できれば、平板状に限らず、形状に制限はない。振動伝達抑制材２５は、引掛部２３と吊り上げ体２２ｂと間の振動伝達を抑制できれば素材に制限なく、例えば、ゲル、ゴム、フェルト、ウレタンスポンジ、気泡緩衝材、そして制振金属等を用いてもよい。
【０１０５】
スピーカーユニット用錘３３を、スピーカーユニット１の磁気回路に設けることにより、スピーカーユニット１の不要振動が減衰され、さらに、スピーカーユニット１と支持体２０ｉの複合体を下方に安定化される。この実施の形態では、スピーカーユニット用錘３３は、スピーカーユニットの不要振動を吸収するために設けられているが、不要であれば、スピーカーユニット用錘３３を用いずに、外部吊り上げ支持体３６とスピーカーユニット１を直接結合しても良い。
【０１０６】
本実施形態の変形例として、吊り上げ支持体の上端部に設けられた被挿入部に吊り上げ体の先端を挿入し、振動伝達抑制材を吊り上げ支持体と吊り上げ体の間に挿入することも可能である。本実施形態では、スピーカーユニット用取付具４と筐体用取付具７により、スピーカーユニット保持体３が取付けられているが、スピーカーユニット保持体の取付手段はこれに制限されない。
【０１０７】
（ｘｘｉｉｉ）下向きのスピーカーユニットの支持手段にも振動伝達抑制材を設けることができる。図２２（ａ）は、筐体と支持体の間に振動伝達抑制材を設けた実施形態を示す。筐体２Ｃの天板には、貫通穴が設けられている。そして、貫通穴が設けられた振動伝達抑制材２５が、筐体２Ｃの天板の上面に配置されている。さらに、支持体２０ｊは、上端部に設けられた平板状の引掛部２０ｒで振動伝達抑制材２５に吊り下げられ、振動伝達抑制材２５と筐体２Ｃの天板に設けられた貫通穴を貫通し、そして下端に下向きのスピーカーユニット１を、スピーカーユニット用錘３３を介して結合している。本実施形態では、スピーカーユニット用取付具４と筐体用取付具７により、スピーカーユニット保持体３が取付けられているが、スピーカーユニット保持体の取付手段はこれに制限されない。
【０１０８】
図２２（ｂ）は、吊り上げ体で構成された支持手段に振動伝達抑制材を設けた実施形態を示す。吊り上げ体２２ｃが筐体内部に設けられている。吊り上げ体２２ｃの上面板に、貫通穴が設けられている。そして、貫通穴が設けられた振動伝達抑制材２５が、吊り上げ体２２ｃの上面に配置されている。さらに、吊り上げ支持体２３ｂは、上端部に設けられた平板状の引掛部２３ｒで振動伝達抑制材２５に吊り下げられ、振動伝達抑制材２５と吊り上げ体２２ｃの貫通穴を貫通し、そして下端に下向きのスピーカーユニット１を、スピーカーユニット用錘３３を介して結合している。本実施形態では、スピーカーユニット用取付具４と筐体用取付具７により、スピーカーユニット保持体３が取付けられているが、スピーカーユニット保持体の取付手段はこれに制限されない。
【０１０９】
（ｘｘｉｖ）スピーカーユニットの支持手段は、筐体の外部構造物に結合することもできる。図２３（ａ）は、外部構造物である壁に外部吊り上げ体を結合した実施形態である。外部吊り上げ体３５は、その一端が外部構造物４０に結合し、他端に貫通穴が設けられている。筐体２Ｃも外部構造物４０に取り付けられ、さらに筐体２Ｃの天板に貫通穴が設けられている。また、貫通穴が設けられた振動伝達抑制材２５は、外部吊り上げ体３５の上面に配置されている。外部吊り上げ支持体３６は、上端部に設けられた引掛部３６ａにより、振動伝達抑制材２５を介して、外部吊り上げ体３５に吊り下げ支持されている。さらに、外部吊り上げ支持体３６は、筐体２Ｃの天板に設けられた貫通穴を貫通し、下端でスピーカーユニット用錘３３を介して下向きのスピーカーユニット１に結合することにより、スピーカーユニット１を支持している。このようにして、支持手段を筐体の外に設けることにより、筐体内部の振動の影響を受けず、忠実な音響再生が可能になる。安定に支持できるのであれば、どのような外部構造物に外部吊り上げ体や筐体が設けられても構わない。また、外部吊り上げ体や筐体は、それぞれ別の外部構造物に設けられても良い。この実施の形態では、スピーカーユニット用錘３３は、スピーカーユニットの不要振動を吸収するために設けられているが、不要であれば、スピーカーユニット用錘３３を用いずに、外部吊り上げ支持体３６とスピーカーユニット１を直接結合しても良い。本実施形態では、スピーカーユニット用取付具４と筐体用取付具７により、スピーカーユニット保持体３が取付けられているが、スピーカーユニット保持体の取付手段はこれに制限されない。
【０１１０】
図２３（ｂ）は、スピーカーユニットを筐体外部から支持体を用いて支持した実施形態である。筐体２Ｃは、外部構造物４０に取り付けられ、さらに筐体２Ｃの天板に貫通穴が設けられている。外部支持体３７は、その一端が外部構造物４０に結合し、筐体２Ｃの天板に設けられた貫通穴を経由し、他端に下向きのスピーカーユニット１が、スピーカーユニット用錘３３を介して結合されている。この実施の形態では、支持体および支持手段と筐体は外部構造物に結合しているが、それぞれ別の構造物に結合しても良い。この実施の形態では、スピーカーユニット用錘３３は、スピーカーユニットの不要振動を吸収するために設けられているが、不要であれば、スピーカーユニット用錘３３を用いずに、外部支持体３７とスピーカーユニット１を直接結合しても良い。本実施形態では、スピーカーユニット用取付具４と筐体用取付具７により、スピーカーユニット保持体３が取付けられているが、スピーカーユニット保持体の取付手段はこれに制限されない。
【０１１１】
（ｘｘｖ）内部に空間をもつ構造物を筐体にして利用することができる。例えば、本発明を天井裏や車のドア内部やトランクの空間を利用して筐体を構築することができる。本発明のスピーカーユニット保持構造で天井埋込型スピーカーを構築した実施形態を図２４に示す。取付板２ｐに、吊り上げ体２２ｃ、振動伝達抑制材２５、および支持体２３ａで構成された支持手段がスピーカーユニット１が取り付けられている。そして、フレーム１ｃの振動はスピーカーユニット保持体３により吸収される。取付板２ｐは、天井に設けた取付穴を塞ぐように取り付けられ、天井裏の構造と取付板２ｐでスピーカーシステムの筐体が形成される。
【０１１２】
本実施形態では、スピーカーユニット用取付具４と筐体用取付具７により、スピーカーユニット保持体３が取付けられているが、スピーカーユニット保持体の取付手段はこれに制限されない。この実施の形態では、スピーカーユニット用錘３３は、スピーカーユニットの不要振動を吸収するために設けられているが、不要であれば、スピーカーユニット用錘３３を用いずに、吊り上げ支持体２３ａとスピーカーユニット１を直接結合しても良い。振動伝達抑制材を用いず、吊り上げ体２２ｃと吊り上げ支持体２３ａで構成された支持手段でスピーカーユニットを支持することもできる。天井裏の梁など、建物の構造物を吊り上げ体として、スピーカーユニットを支持することも可能であるし、吊り下げ体として用いている建物の構造物と支持体の間に振動伝達抑制材を設けることも可能である。
【０１１３】
（ｘｘｖｉ）スピーカーユニット保持体は、筐体への取付部から、さらに延長して筐体を覆う外装としても用いることができる。
【０１１４】
（ｘｘｖｉｉ）スピーカーユニット保持体に振動減衰部を設けない実施形態も可能であるが、振動吸収の効果を鑑みて、スピーカーユニット保持体のスピーカーユニット接触面と筐体接触面の間隔が、１ｍｍ以上設けられることが望ましい。
【０１１５】
（ｘｘｖｉｉｉ）スピーカーユニットのフレーム部は、丸型である必要はない。また、筐体の開口部も丸型である必要はない。使用するスピーカーユニットの形状や筐体の開口部の形状は、制限なく任意に決定すれば良い。
【０１１６】
（ｘｘｉｘ）スピーカーユニットや筐体へのスピーカーユニット保持体の取付手段は、任意にそれぞれ独立に選択することができる。また、スピーカーユニットや筐体それぞれに複数の取付手段でスピーカーユニット保持体を取付けることも可能である。
【産業上の利用可能性】
【０１１７】
本発明は、忠実な音声や楽音を提供するスピーカーユニットの保持構造である。構造的に汎用性が高く、産業的に生産される多くのスピーカーシステムに用いられることが可能である。公共的に、商業的に、文化的に、もしくは個人的に、広く利用されることが期待される。
【符号の説明】
【０１１８】
１，１Ａ  スピーカーユニット
１ａ，１ｐ  振動板
１ｂ  磁気回路
１ｃ  フレーム
１ｄ  フランジ
１ｅ，１ｊ  貫通穴
１ｆ，１ｇ  対合部
１ｈ  磁石取付部
１ｉ  被締付部
１ｍ  フック部
１ｎ，１ｏ  スピーカーユニット突出部
２，２Ａ，２Ｂ，２Ｃ  筐体
２ａ  取付板
２ｂ  貫通穴
２ｃ，２ｄ  対合部
２ｅ  磁石取付部
２ｆ  被締付部
２ｈ  フック部
２ｉ，２ｋ  筐体突出部
２ｍ  脚部
２ｐ  取付板
３，３Ａ，３Ｂ，３Ｃ，３Ｄ，３Ｅ，３Ｆ，３Ｇ，３Ｈ，３Ｉ，３Ｊ，３Ｋ，３Ｌ，３Ｍ，３Ｎ，３Ｏ，３Ｐ，３Ｑ，３Ｒ  スピーカーユニット保持体
３ａ，３ａａ，３ａｂ，３ａｃ，３ａｄ  振動減衰部
３ｂ，３ｃ，３ｄ，３ｅ，３ｆ，３ｇ，３ｈ，３ｓ，３ｔ，３ｖ，３ｗ  貫通穴
３ｉ  対スピーカーユニット挟み込み部
３ｊ  対筐体挟み込み部
３ｐ，３ｒ  対筐体突出部
３ｐ’，３ｒ’  対スピーカーユニット突出部
３ｚ  開口部
４，４’，４Ａ，４Ａ’，４Ｂ，４Ｃ，４Ｄ，４Ｅ  スピーカーユニット用取付具
４ａ  貫通穴
４ｂ  磁石取付部
４ｃ  締付部
４ｄ  押し曲げ部
４ｅ  フック部
７，７’，７Ａ，７Ａ’，７Ｂ，７Ｃ，７Ｄ，７Ｅ，７Ｆ  筐体用取付具
７ａ  貫通穴
７ｂ  磁石取付部
７ｃ  締付部
７ｄ  押し曲げ部
８，８’，８’’，８’’’  磁石
８ａ  Ｎ極
８ｂ  Ｓ極
１１，１１ａ，１１ｂ，１１ｃ，１１ｄ，１１ｅ  ネジ
１２，１２ａ，１２ｂ  ナット
１３，１３ａ  押止具
１４，１４ａ  留具
１５，１５ａ  接合具
１７  振動吸収材
１８  振動吸収材用容器
１９，１９ａ  スピーカー防護具
２０，２０ａ，２０ｂ，２０ｅ，２０ｊ  支持体
２０ｒ  引掛部
２２，２２ａ，２２ｂ，２２ｃ  吊り上げ体
２３，２３ａ  吊り上げ支持体
２３ｒ  引掛部
２５  振動伝達抑制材
２９，２９ｇ，２９ｇ’，２９ｍ  錘
２９ｄ  ネジ
２９ｅ  ナット
２９ｈ，２９ｈ’  磁石
２９ｉ，２９ｉ’  Ｎ極
２９ｋ，２９ｋ’  Ｓ極
３３  スピーカーユニット用錘
３５  外部吊り上げ体
３６  外部吊り上げ支持体
３６ａ  引掛部
３７  外部支持体
４０  外部構造物
【図１】
2019083495.tif 000003
【図２】
2019083495.tif 000004
【図３】
2019083495.tif 000005
【図４】
2019083495.tif 000006
【図５】
2019083495.tif 000007
【図６】
2019083495.tif 000008
【図７】
2019083495.tif 000009
【図８】
2019083495.tif 000010
【図９】
2019083495.tif 000011
【図１０】
2019083495.tif 000012
【図１１】
2019083495.tif 000013
【図１２】
2019083495.tif 000014
【図１３】
2019083495.tif 000015
【図１４】
2019083495.tif 000016
【図１５】
2019083495.tif 000017
【図１６】
2019083495.tif 000018
【図１７】
2019083495.tif 000019
【図１８】
2019083495.tif 000020
【図１９】
2019083495.tif 000021
【図２０】
2019083495.tif 000022
【図２１】
2019083495.tif 000023
【図２２】
2019083495.tif 000024
【図２３】
2019083495.tif 000025
【図２４】
2019083495.tif 000026
【手続補正書】
【提出日】平成30年10月31日(2018.10.31)
【手続補正１】
【補正対象書類名】特許請求の範囲
【補正対象項目名】全文
【補正方法】変更
【補正の内容】
【特許請求の範囲】
【請求項１】
スピーカーユニットと、前記スピーカーユニットを装着するための開口部を備える筐体と、前記スピーカーユニットを前記筐体に保持するスピーカーユニット保持体を備え、
前記スピーカーユニットは、音波を発生するための振動板と、前記振動板を駆動するための磁気回路と、前記振動板と前記磁気回路が取り付けられたフレームを備え、
前記スピーカーユニット保持体は、振動吸収体であり、
前記スピーカーユニット保持体は、前記フレームが取り付けられる部位であるスピーカーユニット取付部と、前記筐体の開口部もしくは開口部周辺が取り付けられる部位である筐体取付部を有し、
前記スピーカーユニット取付部と前記筐体取付部は、前記スピーカーユニット保持体の異なる部位であり、
前記筐体の外部に存在する外部構造物から前記スピーカーユニットを支持するための外部吊り上げ体と、外部吊り上げ支持体と、振動伝達抑制材がさらに設けられ、
前記筐体は、前記筐体の外部から前記スピーカーユニットを支持するための貫通穴が設けられ、
前記外部吊り上げ体は、一方で前記外部構造物に結合し、他方で前記外部吊り上げ支持体を支持し、
前記外部吊り上げ支持体は、前記外部吊り上げ体に吊り下がるための引掛部が上端に設けられ、前記筐体に設けられた前記貫通穴を貫通し、下端で前記スピーカーユニットを支持し、
前記外部吊り上げ体の上面と前記引掛部の間に前記振動伝達抑制材が設けられること、
を特徴とするスピーカーユニットの保持構造。
【請求項２】
スピーカーユニットと、前記スピーカーユニットを装着するための開口部を備える筐体と、前記スピーカーユニットを前記筐体に保持するスピーカーユニット保持体を備え、
前記スピーカーユニットは、音波を発生するための振動板と、前記振動板を駆動するための磁気回路と、前記振動板と前記磁気回路が取り付けられたフレームを備え、
前記スピーカーユニット保持体は、振動吸収体であり、
前記スピーカーユニット保持体は、前記フレームが取り付けられる部位であるスピーカーユニット取付部と、前記筐体の開口部もしくは開口部周辺が取り付けられる部位である筐体取付部を有し、
前記スピーカーユニット取付部と前記筐体取付部は、前記スピーカーユニット保持体の異なる部位であり、
前記スピーカーユニット保持体は、振動吸収材と振動吸収材用容器で構成され、
前記スピーカーユニット保持体は、前記振動吸収材が全周囲にわたり前記振動吸収材用容器に取り囲まれた構造体であること、
を特徴とするスピーカーユニットの保持構造。
【請求項３】
さらに、振動を減衰するための錘が、前記スピーカーユニット、前記筐体、および前記スピーカーユニットや前記筐体と結合する部材に接触せずに、前記スピーカーユニット保持体に設けられていること、
を特徴とする請求項２に記載のスピーカーユニットの保持構造。
【請求項４】
スピーカーユニットと、前記スピーカーユニットを装着するための開口部を備える筐体と、前記スピーカーユニットを前記筐体に保持するスピーカーユニット保持体を備え、
前記スピーカーユニットは、音波を発生するための振動板と、前記振動板を駆動するための磁気回路と、前記振動板と前記磁気回路が取り付けられたフレームを備え、
前記スピーカーユニット保持体は、振動吸収体であり、
前記スピーカーユニット保持体は、前記フレームが取り付けられる部位であるスピーカーユニット取付部と、前記筐体の開口部もしくは開口部周辺が取り付けられる部位である筐体取付部を有し、
前記スピーカーユニット取付部と前記筐体取付部は、前記スピーカーユニット保持体の異なる部位であり、
前記スピーカーユニット保持体の前記スピーカーユニット取付部と前記筐体取付部との間の部位に、前記スピーカーユニット保持体の振動を減衰するための振動減衰部が設けられ、
前記振動減衰部は、前記筐体の内側空間および外側空間に露出し、
さらに、振動を減衰するための錘が、前記スピーカーユニット、前記筐体、および前記スピーカーユニットや前記筐体と結合する部材に接触せずに、前記振動減衰部に設けられていること、
を特徴とするスピーカーユニットの保持構造。
【請求項５】
請求項１から４のいずれか１項に記載のスピーカーユニットの保持構造を備える音響装置。
【手続補正２】
【補正対象書類名】明細書
【補正対象項目名】０００８
【補正方法】変更
【補正の内容】
【０００８】
請求項１の発明は、スピーカーユニットと、前記スピーカーユニットを装着するための開口部を備える筐体と、前記スピーカーユニットを前記筐体に保持するスピーカーユニット保持体を備え、前記スピーカーユニットは、音波を発生するための振動板と、前記振動板を駆動するための磁気回路と、前記振動板と前記磁気回路が取り付けられたフレームを備え、前記スピーカーユニット保持体は、振動吸収体であり、前記スピーカーユニット保持体は、前記フレームが取り付けられる部位であるスピーカーユニット取付部と、前記筐体の開口部もしくは開口部周辺が取り付けられる部位である筐体取付部を有し、前記スピーカーユニット取付部と前記筐体取付部は、前記スピーカーユニット保持体の異なる部位であり、前記筐体の外部に存在する外部構造物から前記スピーカーユニットを支持するための外部吊り上げ体と、外部吊り上げ支持体と、振動伝達抑制材がさらに設けられ、前記筐体は、前記筐体の外部から前記スピーカーユニットを支持するための貫通穴が設けられ、前記外部吊り上げ体は、一方で前記外部構造物に結合し、他方で前記外部吊り上げ支持体を支持し、前記外部吊り上げ支持体は、前記外部吊り上げ体に吊り下がるための引掛部が上端に設けられ、前記筐体に設けられた前記貫通穴を貫通し、下端で前記スピーカーユニットを支持し、前記外部吊り上げ体の上面と前記引掛部の間に前記振動伝達抑制材が設けられること、を特徴とする。
【手続補正３】
【補正対象書類名】明細書
【補正対象項目名】００１０
【補正方法】変更
【補正の内容】
【００１０】
このようにすれば、振動吸収体であるスピーカーユニット保持体をスピーカーユニットと筐体の両方に設けることができる。また、スピーカーユニット保持体の同一部位がスピーカーユニットと筐体に挟まれないため、スピーカーユニット保持体が圧迫されない。さらに、スピーカーユニット保持体における振動伝達経路が非直線的に延長される。したがって、請求項１の発明により、スピーカーユニット保持体の振動吸収効果が十分に発揮され、フレームや筐体の不要振動が効果的に吸収されるとともに、フレームと筐体間の不要振動の伝達問題が解決される。さらに、筐体の外部に吊り上げ支持体を設けてスピーカーユニットを吊り上げることができる。この発明では、スピーカーユニット保持体でスピーカーユニットの荷重を支ないため、スピーカーユニット保持体の圧縮や引張が回避される。そのため、スピーカーユニット保持体が有する本来の振動吸収効果を発揮することができる。また、筐体の内部でなく外部に、外部吊り上げ体を設けることにより、筐体や筐体内の振動が吊り上げ体を介してフレームに伝わることを回避できる。また、外部吊り上げ体と外部吊り上げ支持体の間に振動伝達抑制材を設けているので、外部吊り上げ体からフレームに振動が伝わることを抑制される。以上から、忠実な音響再生が可能になる。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】変更
【補正の内容】
【００１２】
請求項２に記載のように、スピーカーユニットと、前記スピーカーユニットを装着するための開口部を備える筐体と、前記スピーカーユニットを前記筐体に保持するスピーカーユニット保持体を備え、前記スピーカーユニットは、音波を発生するための振動板と、前記振動板を駆動するための磁気回路と、前記振動板と前記磁気回路が取り付けられたフレームを備え、前記スピーカーユニット保持体は、振動吸収体であり、前記スピーカーユニット保持体は、前記フレームが取り付けられる部位であるスピーカーユニット取付部と、前記筐体の開口部もしくは開口部周辺が取り付けられる部位である筐体取付部を有し、前記スピーカーユニット取付部と前記筐体取付部は、前記スピーカーユニット保持体の異なる部位であり、前記スピーカーユニット保持体は、振動吸収材と振動吸収材用容器で構成され、前記スピーカーユニット保持体は、前記振動吸収材が全周囲にわたり前記振動吸収材用容器に取り囲まれた構造体である、ようにすることもできる。
【手続補正６】
【補正対象書類名】明細書
【補正対象項目名】００１４
【補正方法】変更
【補正の内容】
【００１４】
請求項３に記載のように、さらに、振動を減衰するための錘が、前記スピーカーユニット、前記筐体、および前記スピーカーユニットや前記筐体と結合する部材に接触せずに、前記スピーカーユニット保持体に設けられている、ようにすることもできる。
【手続補正７】
【補正対象書類名】明細書
【補正対象項目名】００１５
【補正方法】変更
【補正の内容】
【００１５】
このようにすれば、スピーカーユニット保持体の不要振動が効果的に減衰される。
【手続補正８】
【補正対象書類名】明細書
【補正対象項目名】００１６
【補正方法】変更
【補正の内容】
【００１６】
請求項４に記載のように、スピーカーユニットと、前記スピーカーユニットを装着するための開口部を備える筐体と、前記スピーカーユニットを前記筐体に保持するスピーカーユニット保持体を備え、前記スピーカーユニットは、音波を発生するための振動板と、前記振動板を駆動するための磁気回路と、前記振動板と前記磁気回路が取り付けられたフレームを備え、前記スピーカーユニット保持体は、振動吸収体であり、前記スピーカーユニット保持体は、前記フレームが取り付けられる部位であるスピーカーユニット取付部と、前記筐体の開口部もしくは開口部周辺が取り付けられる部位である筐体取付部を有し、前記スピーカーユニット取付部と前記筐体取付部は、前記スピーカーユニット保持体の異なる部位であり、前記スピーカーユニット保持体の前記スピーカーユニット取付部と前記筐体取付部との間の部位に、前記スピーカーユニット保持体の振動を減衰するための振動減衰部が設けられ、前記振動減衰部は、前記筐体の内側空間および外側空間に露出し、さらに、振動を減衰するための錘が、前記スピーカーユニット、前記筐体、および前記スピーカーユニットや前記筐体と結合する部材に接触せずに、前記振動減衰部に設けられている、ようにすることもできる。
【手続補正９】
【補正対象書類名】明細書
【補正対象項目名】００１７
【補正方法】変更
【補正の内容】
【００１７】
このようにすれば、振動減衰部に設けられた錘で効果的にスピーカーユニット保持体の不要振動が効果的に減衰される。
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】削除
【補正の内容】
【手続補正２２】
【補正対象書類名】明細書
【補正対象項目名】００３０
【補正方法】削除
【補正の内容】
【手続補正２３】
【補正対象書類名】明細書
【補正対象項目名】００３１
【補正方法】削除
【補正の内容】
【手続補正２４】
【補正対象書類名】明細書
【補正対象項目名】００３２
【補正方法】削除
【補正の内容】
【手続補正２５】
【補正対象書類名】明細書
【補正対象項目名】００３３
【補正方法】削除
【補正の内容】
【手続補正２６】
【補正対象書類名】明細書
【補正対象項目名】００３４
【補正方法】削除
【補正の内容】
【手続補正２７】
【補正対象書類名】明細書
【補正対象項目名】００３５
【補正方法】削除
【補正の内容】
【手続補正２８】
【補正対象書類名】明細書
【補正対象項目名】００３６
【補正方法】削除
【補正の内容】
【手続補正２９】
【補正対象書類名】明細書
【補正対象項目名】００３７
【補正方法】削除
【補正の内容】
【手続補正３０】
【補正対象書類名】明細書
【補正対象項目名】００３８
【補正方法】削除
【補正の内容】
【手続補正３１】
【補正対象書類名】明細書
【補正対象項目名】００３９
【補正方法】削除
【補正の内容】
【手続補正３２】
【補正対象書類名】明細書
【補正対象項目名】００４０
【補正方法】削除
【補正の内容】
【手続補正３３】
【補正対象書類名】明細書
【補正対象項目名】００４１
【補正方法】削除
【補正の内容】
【手続補正３４】
【補正対象書類名】明細書
【補正対象項目名】００４２
【補正方法】削除
【補正の内容】
【手続補正３５】
【補正対象書類名】明細書
【補正対象項目名】００４３
【補正方法】削除
【補正の内容】
【手続補正３６】
【補正対象書類名】明細書
【補正対象項目名】００４４
【補正方法】削除
【補正の内容】
【手続補正３７】
【補正対象書類名】明細書
【補正対象項目名】００４５
【補正方法】削除
【補正の内容】
【手続補正３８】
【補正対象書類名】明細書
【補正対象項目名】００４６
【補正方法】削除
【補正の内容】
【手続補正３９】
【補正対象書類名】明細書
【補正対象項目名】００４７
【補正方法】削除
【補正の内容】
【手続補正４０】
【補正対象書類名】明細書
【補正対象項目名】００４８
【補正方法】削除
【補正の内容】
【手続補正４１】
【補正対象書類名】明細書
【補正対象項目名】００４９
【補正方法】削除
【補正の内容】
【手続補正４２】
【補正対象書類名】明細書
【補正対象項目名】００５０
【補正方法】削除
【補正の内容】
【手続補正４３】
【補正対象書類名】明細書
【補正対象項目名】００５１
【補正方法】削除
【補正の内容】
【手続補正４４】
【補正対象書類名】明細書
【補正対象項目名】００５２
【補正方法】変更
【補正の内容】
【００５２】
請求項５の発明は、音響装置であって、請求項１〜４のいずれか１項に記載のスピーカーユニットの保持構造を具備する、ことを特徴とする。